(57)【要約】【課題】簡単且つ効果的に誤操作防止可能な電子機器を提供しようとするものである。【解決手段】接続判定手段９と入力切換回路１０とを設けることにより、リモートコントロールユニット４の接続状態を検出し、その状況に応じてメインユニットのキーホールドスイッチのオン・オフを切換える。  また、メインユニットからリモートコントロールへのキーホールド連携手段３０とリモートコントロールからメインユニットへのキーホールド連携手段３１とを設けることにより、第１のホールドスイッチ２８および第２のホールドスイッチ２９のオン・オフを切換える。これらのことにより、簡単且つ効果的にキーホールド状態を設定できる操作性に優れた電子機器を提供する。【選択図】  図１                                                        
2005354633.tif 000002
【特許請求の範囲】
【請求項１】
第１のキー群と、前記第１のキー群からの操作信号およびリモートコントロールユニットに設けられた第２のキー群からの操作信号を受信する受信回路と、リモートコントロールユニットを有線で接続するコネクタとが設けられているメインユニットと、
前記第２のキー群と、前記メインユニットと有線で接続するコネクタとが設けられているリモートコントロールユニットと、
を備えた電子機器において、
前記メインユニットに、
前記リモートコントロールユニットが接続されているか否かを判別する接続判定手段と、
前記判定手段により、リモートコントロールユニットが接続されていないと判定されたとき前記第１のキー群の操作信号を受信回路に入力し、
前記判定手段により、リモートコントロールユニットが接続されていると判定されたとき前記第２のキー群の操作信号のみを受信回路に入力する入力切換回路と、
を備えた電子機器。  
【請求項２】
第１のキー群と、オン・オフすることにより前記第１のキー群の操作を無効または有効にする第１のホールドスイッチと、前記第１のキー群からの操作信号およびリモートコントロールユニットに設けられた第２のキー群からの操作信号を受信する受信回路と、リモートコントロールユニットを有線で接続するコネクタとが設けられているメインユニットと、
前記第２のキー群と、オン・オフすることにより前記第２のキー群の操作を無効または有効にする第２のホールドスイッチと、前記メインユニットと有線で接続するコネクタとが設けられているリモートコントロールユニットと、
を備えた電子機器において、
前記リモートコントロールユニットがメインユニットに接続されたとき、第２のホールドスイッチのオン・オフ状態を優先させて、第１のホールドスイッチをその反対の状態に制御し、
前記リモートコントロールユニットがメインユニットに接続された状態で、第１のホールドスイッチまたは第２のホールドスイッチのどちらか一方がオンまたはオフに操作されたとき、この操作にしたがって、他方をその反対の状態に制御するキーホールド連携手段、を備えた電子機器。
【発明の詳細な説明】
【技術分野】
【０００１】
本発明は、機器本体上の操作キーとは別にリモートコントローラを備える可搬型の電子機器（例えば、ポータブルオーディオプレーヤ等）における、誤操作防止技術に関する。
【背景技術】
【０００２】
ポータブルオーディプレーヤ等では、鞄の中でスイッチが何かに当たって知らない間に電源が入ってしまい電池が消耗してしまうというようなことが起こらないようにスイッチ操作を無効にするホールドスイッチを設け、勝手に電源がはいらないように設定することができるようにされているものが提案されている。（例えば特許文献１）。
【０００３】
また、さらなる誤動作防止のために、本体だけでなく、リモートコントローラにも、ホールドスイッチを設けているものもある。このようなポータブルオーディオのキー操作防止システムは、例えば図３の様に構成される。
【０００４】
図３において、３１は音楽再生等の動作を行うメインユニット、３２はメインユニットと同じ筐体に配置され、各種操作を行う第１のキー群、３６は第１のキー群３２および第２のキー群３４から操作信号を受信する受信回路、３７は第１のキー群３２の操作を無効化する第１のホールドスイッチである。
【０００５】
３３はリモートコントロールユニット、３４はリモートコントロールユニット３３上に配置された第２のキー群、３８は第２のキー群の操作を無効化する第２のホールドスイッチである。
【０００６】
３５は、メインユニット３１とリモートコントロールユニット３３とを接続し、第２のキー群３４からの操作信号などをメインユニット３１へ伝達するためのリモートコントロール接続ケーブルで、メインユニット３１とリモートコントロール接続ケーブル３５とは、接続・切断が可能な構成となっている。
【０００７】
メインユニット３１の第１のホールドスイッチ３７をホールド側に設定すると、第１のキー群３２と受信回路３６との接続が断たれ、第１のキー群の操作が無効化される。第１のホールドスイッチ３７を解除側に設定すると、第１の操作群３２と受信回路３６とが接続され、第１のキー群の操作が有効な状態となる。
【０００８】
一方、リモートコントロールユニット３３の第２のホールドスイッチ３８をホールド側に設定すると、第２のキー群３４と受信回路３６との接続が断たれ、第２のキー群３４の操作が無効化される。第２のホールドスイッチ３８を解除側に設定すると、第２のキー群３４と受信回路３６とが接続され、第２のキー群のキー操作が可能な状態となる。
【０００９】
上述のように、第１のキー群、第２のキー群、各々独立したキーホールド設定手段を持つことにより、機器の状態に合わせて誤操作防止状態が選択可能な構成となっている。
【００１０】
例えば、屋外で機器を使用する場合は、本体をキーホールド設定して鞄などに入れ、リモートコントロールを接続してリモートコントロール上の操作キーで操作する。屋内で使用する場合は、リモートコントロールを切断するかキーホールド状態とし、本体上のキーにて操作する、などの使い分けが可能である。
【特許文献１】特開２００２−２６８７７６公報
【発明の開示】
【発明が解決しようとする課題】
【００１１】
上記のようなポータブルオーディオプレーヤのキーホールドシステムでは、本体操作キー群、リモートコントロール操作キー群、各々独立したキーホールド切換手段を持っているため、任意の誤操作防止状態が選択可能な反面、各キーホールド切換手段が独立している事により、設定操作が煩雑となり、キーホールド状態を誤選択する事が起こりうる。例えば、キーホールド設定状態にしたのを忘れて キー操作し、機器の故障と誤判断する可能性もある。
【００１２】
逆に、キーホールド設定にするのを忘れてしまい、誤操作が発生する可能性もある。そのため、より簡単で効果的にキーホールド状態を設定できる製品仕様が望まれている。
【課題を解決するための手段】
【００１３】
本発明によるキーホールドシステムは、以下の構成を備えている。
【００１４】
（１）第１のキー群と、前記第１のキー群からの操作信号およびリモートコントロールユニットに設けられた第２のキー群からの操作信号を受信する受信回路と、リモートコントロールユニットを有線で接続するコネクタとが設けられているメインユニットと、前記第２のキー群と、前記メインユニットと有線で接続するコネクタとが設けられているリモートコントロールユニットと、を備えた電子機器において、
前記メインユニットに、前記リモートコントロールユニットが接続されているか否かを判別する接続判定手段と、前記判定手段により、リモートコントロールユニットが接続されていないと判定されたとき前記第１のキー群の操作信号を受信回路に入力し、前記判定手段により、リモートコントロールユニットが接続されていると判定されたとき前記第２のキー群の操作信号のみを受信回路に入力する入力切換回路と、を備えたことを特徴とする。
【００１５】
リモートコントロールが接続状態であれば、リモートコントロール上のキー操作のみを有効とするので、本体のキーホールド切換操作が不要となり、簡単に誤操作を防止する事が可能となる。
【００１６】
（２）第１のキー群と、オン・オフすることにより前記第１のキー群の操作を無効または有効にする第１のホールドスイッチと、前記第１のキー群からの操作信号およびリモートコントロールユニットに設けられた第２のキー群からの操作信号を受信する受信回路と、リモートコントロールユニットを有線で接続するコネクタとが設けられているメインユニットと、前記第２のキー群と、オン・オフすることにより前記第２のキー群の操作を無効または有効にする第２のホールドスイッチと、前記メインユニットと有線で接続するコネクタとが設けられているリモートコントロールユニットと、を備えた電子機器において、
前記リモートコントロールユニットがメインユニットに接続されたとき、第２のホールドスイッチのオン・オフ状態を優先させて、第１のホールドスイッチをその反対の状態に制御し、前記リモートコントロールユニットがメインユニットに接続された状態で、第１のホールドスイッチまたは第２のホールドスイッチのどちらか一方がオンまたはオフに操作されたとき、この操作にしたがって、他方をその反対の状態に制御するキーホールド連携手段、を備えたことを特徴とする。
【００１７】
本体とリモートコントロールのいずれか一方のキーホールド解除操作により、他方を自動的にキーホールド設定するので、他方のキーホールド切換操作が不要となり、簡単に誤操作を防止することが可能となる。
【発明の効果】
【００１８】
本発明によれば、メインユニットのキー群の操作が可能な状態のときには、リモートコントロールユニットのキー群の操作が不可となり、メインユニットのキー群の操作が不可な状態のときには、リモートコントロールユニットのキー群の操作が可能となる。このように、この発明によれば、簡単且つ効果的にキーホールド状態を設定できる操作性に優れた電子機器（特に可搬型の機器）を提供することができる。
【発明を実施するための最良の形態】
【００１９】
本発明の実施の形態について図を用いて説明する。まず、第１の実施形態について図１を用いて説明する。図１は、第１の実施形態に係るポータブルオーディオ装置の構成図を示している。
【００２０】
図１において、ポータブルオーディオ装置１は、メインユニット２と、リモートコントロールユニット４と、からなっている。
【００２１】
メインユニット２は、第１の操作キー群３と、受信回路７と、本体ホールドスイッチ８と、接続判定手段９と、入力切換回路１０と、を備えている。
【００２２】
リモートコントロールユニット４は、第２の操作キー群５と、リモートコントロール接続ケーブル６と、を備えている。
【００２３】
前記メインユニット２は、音楽再生等の動作を行う。前記第１のキー群３は、音楽再生のスタート／ストップや音量調整などの各種操作を行うためのキー群であり、受信回路７は、前記第１のキー群３および前記第２のキー群５からの操作信号を受信してメインユニット２の動作を制御する回路である。本体ホールドスイッチ８は、第１のキー群３の操作内容を受信回路７に入力するか否かを切り換えるスイッチである。前記本体ホールドスイッチ８がオン（ホールド側）のとき、第１のキー群３の操作内容が受信回路７に入力されず、第１のキー群３の操作が無効化され、前記本体ホールドスイッチ８がオフ（解除側）のときは、前記第１のキー群３の操作内容が受信回路７に入力され、前記第１のキー群３の操作が有効化される。
【００２４】
リモートコントロールユニット４は、音楽再生等の動作の遠隔操作を行う。第２のキー群５は、前記リモートコントロールユニット４上に配置され、第１のキー群３と同様の各種操作を行うためのキー群である。
【００２５】
リモートコントロール接続ケーブル６は、メインユニット２とリモートコントロールユニット４とを接続し、第２のキー群５からの操作信号などをメインユニット２へ伝達するための接続ケーブルであり、接続・切断が可能な構成となっている。
【００２６】
接続判定手段９は、リモートコントロール接続ケーブル６がメインユニット２に接続されているか否かの状態により、入力切換回路１０を制御する。前記接続ケーブル６がメインユニット２に接続されている場合、前記接続判定手段９が接続状態であることを検出して入力切換回路１０を制御し、本体キーホールド８をオンに切り換える。これにより、第１のキー群３の操作が無効化されるとともに、リモートコントロール接続ケーブル６を介して接続された第２のキー群５の操作が有効化される。
【００２７】
一方、前記接続ケーブル６がメインユニット２に接続されていない場合、前記接続判定手段９が接続状態でないことを検出して入力切換回路１０を制御し、本体ホールドスイッチ８をオフに切り換える。すなわち、第１のキー群３の操作が有効化される。
【００２８】
以下、同ポータブルオーディオ装置１におけるキーホールド動作について説明する。
リモートコントロール接続ケーブル６とメインユニット２が接続されている状態では、接続判定手段９が接続状態であることを検出し、入力切換回路１０を制御して、本体ホールドスイッチ８をオンの状態にする。前記本体ホールドスイッチ８がオンの状態では、受信回路７は第１のキー群からの操作信号を受信せず、第２のキー群からの操作信号のみを受信する。すなわち、第１のキー群３の音楽再生等の動作の操作が無効化され、第２のキー群５による音楽再生等の動作の操作のみが可能となる。上記の状態は、ポータブルオーディオ装置１を屋外で使用するのに適した状態である。
【００２９】
一方、リモートコントロール接続ケーブル６とメインユニット２が切断されている状態では、接続判定手段９が切断状態であることを検出し、入力切換回路１０を制御して、本体ホールドスイッチ８がオフの状態となる。前記本体ホールドスイッチ８がオフの状態では、キー信号受信回路７は第１キー群３からの操作信号を受信する。すなわち、第１のキー群３による音楽再生等の動作の操作が可能となる。
【００３０】
このように、本発明に係るポータブルオーディオ装置１はリモートコントロール接続ケーブル６がメインユニット２に接続されていない状態では、自動的に第１のキー群による音楽再生等の動作の操作が可能となる。
【００３１】
次に本発明の第２の実施形態について図２を用いて説明する。図２は、第２の実施形態に係るポータブルオーディオ装置の構成図を示している。
【００３２】
図２において、ポータブルオーディオ装置２１は、メインユニット２２と、リモートコントロールユニット２４からなっている。
【００３３】
メインユニット２２は、第１のキー群２３と、キー受信信号回路２７と、第１のホールドスイッチ２８と、を備えている。
【００３４】
リモートコントロールユニット２４は、第２のキー群２５と、第２のホールドスイッチ２９と、を備えている。
【００３５】
リモコン接続ケーブル２６は、メインユニット２２からリモートコントロールユニット２４へのキーホールド連携手段３０と、リモートコントロールユニット２４からメインユニット２２へのキーホールド連携手段３１と、を備えている。
【００３６】
メインユニット２２は、音楽再生等の動作を行う。第１のキー群２３は、音楽再生のスタート／ストップや音量調整などの各種操作を行うためのキー群であり、受信回路２７は、前記第１のキー群２３および前記第２のキー群２５からの操作信号を受信してメインユニット２２の動作を制御する。
【００３７】
第１のホールドスイッチ２８は、第１のキー群２３の操作内容を受信回路２７に入力するか否かの切換えをするスイッチである。
【００３８】
リモートコントロールユニット２４は、音楽再生のスタート／ストップや音量調整などの動作の遠隔操作を行う。第２のキー群２５は、前記リモートコントロールユニット２４上に配置され、各種操作を行うためのキー群である。
【００３９】
リモートコントロール接続ケーブル２６は、メインユニット２２とリモートコントロールユニット２４とを接続し、第２のキー群２５からの操作信号などをメインユニット２２へ伝達するための接続ケーブルであり、接続・切断が可能な構成となっている。
【００４０】
リモートコントロール接続ケーブル２６のメインユニット２２からリモートコントロールユニット２４へのキーホールド連携手段３０は、第１のホールドスイッチ２８のオン（ホールド側）・オフ（解除側）状態を検出して第２のホールドスイッチ２９を制御する。
【００４１】
リモートコントロールユニット２４からメインユニット２２へのキーホールド連携手段３１は、第２のホールドスイッチ２９のオン（ホールド側）・オフ（解除側）状態を検出して第１のホールドスイッチ２８を制御する。
【００４２】
前記ポータブルオーディオ装置２１における、キーホールド動作について説明する。
【００４３】
第１のキー群２３にて音楽再生等の動作の操作を行う場合、ポータブルオーディオ装置２１のユーザは第１のホールドスイッチ２８をオフ（解除側）に切換えると、メインユニット２２からリモートコントロールユニット２４へのキーホールド切換え手段３０が、その操作を検出して、第２のホールドスイッチ２９をオン（ホールド側）に切り換える。すなわち、第１のキー群２３の操作内容が受信回路２７に入力され、第２のキー群２５の操作内容は受信回路２７に入力されなくなる。その結果、第２のキー群２５を誤って操作することが防止できる。
【００４４】
一方、第２のキー群２５にて音楽再生等の動作の操作を行う場合、ポータブルオーディオ装置２１のユーザは第２のホールドスイッチ２９をオフ（解除側）に切換えると、リモートコントロールユニット２４からメインユニット２２へのキーホールド連携手段３１が、その操作を検出し、第１のホールドスイッチ２８をオン（ホールド側）に切り換える。。すなわち、第２のキー群２５の操作内容が受信回路２７に入力され、第１のキー群２８の操作内容は受信回路２７に入力されなくなる。その結果、第１のキー群２３を誤って操作することが防止できる。
【図面の簡単な説明】
【００４５】
【図１】第１の実施形態に係るポータブルオーディオ装置の概略構成を示すブロックズである。
【図２】第２の実施形態に係るポータブルオーディオ装置の概略構成を示すブロック図
【図３】従来のポータブルオーディオプレーヤ等のキー操作認識システムの概略を示すブロック図である。
【符号の説明】
【００４６】
１−ポータブルオーディオ装置
２−メインユニット
３−第１のキー群
４−リモートコントロールユニット
５−第２のキー群
６−リモートコントロール接続ケーブル
７−受信回路
８−本体ホールドスイッチ
９−接続判定手段
１０−入力切換回路
２１−ポータブルオーディオ装置
２２−メインユニット
２３−第１のキー群
２４−リモートコントロールユニット
２５−第２のキー群
２６−リモートコントロール接続ケーブル
２７−受信回路
２８−第１のホールドスイッチ
２９−第２のホールドスイッチ
３０−メインユニットからリモートコントロールユニットへのキーホールド連携手段
３１−リモートコントロールユニットからメインユニットへのキーホールド連携手段
３１−メインユニット
３２−第１のキー群
３３−リモートコントロールユニット
３４−第２のキー群
３５−リモートコントロール接続ケーブル
３６−受信回路
３７−第１のホールドスイッチ
３８−第２のホールドスイッチ
【図１】
2005354633.tif 000003
【図２】
2005354633.tif 000004
【図３】
2005354633.tif 000005